(57)【要約】【目的】  友釣り用のおとり鮎やエビ、アジ等の生き餌を釣り場に搬送したり、あるいは魚釣り後の魚を生きたまま搬送したりする際に、エアレーションしながら搬送したとしても水温の上昇が原因で当該魚等が衰弱したりあるいは死んでしまうことが多々ある。  そこで本考案は水槽内の海水や水の温度上昇を防止することで、魚を生きたまま長時間搬送することが可能な携帯型生け簀を提供することを目的とする。【構成】  上記課題を解決するために本考案に係る携帯型生け簀は氷や保冷板等の冷却材を収納する冷却ボックスと、該冷却ボックス内に収納された冷却材により冷却される熱伝導板と、該熱伝導板と側部あるいは底部が接する水槽部とにより構成した。【選択図】        図１
0003113172.tif 000002
【実用新案登録請求の範囲】
【請求項１】
氷や保冷板等の冷却材を収納する冷却ボックスと、該冷却ボックス内に収納された冷却材により冷却可能な熱伝導板と、該熱伝導板と側部あるいは底部が接する水槽部とにより成る携帯型生け簀。    
【考案の詳細な説明】
【技術分野】
【０００１】
本発明は携帯型生け簀、より詳しくは水槽内の海水や水等の温度上昇により、運搬中の魚や生き餌などが衰弱したり死滅したりすることを可及的に防止しうる携帯型生け簀に関する。    
【背景技術】
【０００２】
従来の携帯型生け簀は上部に開閉自在な蓋部を有する箱状体あるいは筒状体であり、必要に応じて断熱材を介在させ、生け簀内の温度上昇を防止するように構成されていた。
【０００３】
又、携帯型生け簀に関する特許文献として特開２００３−１０２３２３号公報がある。同公報記載の携帯型生け簀は、蓄冷材収納室で冷却されたエアを生け簀内に噴射することで、生け簀内の海水・水の温度上昇を防止するものである。
【特許文献１】特開２００３−１０２３２３号公報
【考案の開示】
【考案が解決しようとする課題】
【０００４】
友釣り用のおとり鮎やエビ、アジ等の生き餌を釣り場に搬送したり、あるいは魚釣り後の魚を生きたまま搬送したりする際に、エアレーションしながら搬送したとしても水温の上昇が原因で当該魚等が衰弱したりあるいは死んでしまうことが多々ある。
【０００５】
そこで本考案は水槽内の海水や水の温度上昇を防止することで、魚を生きたまま長時間搬送することが可能な携帯型生け簀を提供することを目的とする。
【課題を解決するための手段】
【０００６】
上記課題を解決するために本考案に係る携帯型生け簀は氷や保冷板等の冷却材を収納する冷却ボックスと、該冷却ボックス内に収納された冷却材により冷却される熱伝導板と、該熱伝導板と側部あるいは底部が接する水槽部とにより構成した。
【考案の効果】
【０００７】
本考案に係る携帯型生け簀は、図４に示すように冷却ボックス収納室５０に備えられた冷却ボックス１０内に氷や保冷板等の冷却材４０を収納したうえで、海水や水を蓄えた水槽部１０に生きた魚等を入れ搬送するものである。そして熱伝導板３０が冷却材４０により冷却されることに伴い、熱伝導板３０と接する水槽部１０が冷却される。これにより水槽部１０内の水や海水が冷却され、温度上昇を防止することが可能となるのである。つまりは水槽部１０内の魚を生きたまま長時間搬送することが可能な携帯型生け簀を提供することが可能となるのである。
【考案を実施するための最良の形態】
【０００８】
一、  以下、好ましい発明の実施形態につき図面を参照しながら述べる。
【０００９】
図１は本考案の第一実施形態を示す斜視図であり、図２は第二実施形態を示す斜視図であり、図３は第三実施形態を示す斜視図であり、図４は本考案の構造を模式的に示す説明断面図であり、図５は熱伝導板を冷却ボックスに装備した状態を示す斜視図であり、図６は同Ａ−Ａ断面図であり、図７は熱伝導板の斜視図である。
【００１０】
二、  熱伝導板３０は図５、図６に示すように冷却ボックス２０に装備されるものである。冷却ボックス２０は発泡樹脂等の断熱材で形成された箱状体であり、蓋部２１と箱部２２とにより成るものである。
【００１１】
熱伝導板３０は図７に示すように複数回にわたり折曲された金属板である。素材としては熱伝導性に優れたアルミやステンレス等で形成することが好ましい。
【００１２】
この熱伝導板３０は図５、図６に示すように冷却ボックス２０の蓋部２１に差し込んで設けてある。冷却材４０を冷却ボックス２０内に入れる際には蓋部２１と共に熱伝導板３０も取り外し、箱部２２内に冷却材４０を収納し、そのうえで熱伝導板３０を備えた蓋部２１を閉めるものである。冷却材としては氷や保冷板が使用可能であるが、釣具店やスーパー等で販売されている密閉された袋入りの氷を用いることが好ましい。水漏れの恐れが少ないからである。
【００１３】
熱伝導板３０は図中４度にわたり略９０度折曲された態様のものを示しているが、むろん係る限定を受けるものではなく一部が冷却ボックス２０内に入り込み、冷却材４０による冷却が可能であり、他方で比較的大きな面積で水槽部１０に接することが可能なものであれば任意形態で構わない。又、水槽部と接しやすくするために図４に示すように水槽部と接する面を湾曲形状にすることも有用である。
【００１４】
三、  第一実施例に係る携帯型生け簀１は図１に示すように水槽部１０と冷却ボックス収納室５０の二層構造となっている。
【００１５】
液不透過性の合成繊維あるいは合成樹脂あるいは軽量金属で形成された円筒形の水槽部１０は、その内部に海水あるいは水を入れることが可能なものである。この水槽部１０は上面に開閉自在な蓋部１ａを有し、蓋部１ａを閉じた際には内部の水が漏れないように水密的に閉塞されるものである。
【００１６】
図１においては蓋部１ａはファスナによって閉塞される態様を示しているが、むろん係る限定を受けるものではなく、蓋部１ａを樹脂板で形成しパッキンとロック装置によって水密的に閉塞するといった態様も考えられる。
【００１７】
携帯型生け簀１は水槽部１０の下部に冷却ボックス収納室５０が設けてある。冷却ボックス収納室５０は下面に開閉自在な蓋部１ｂを有するものである。蓋部１ｂの開閉方法はファスナによるものや、樹脂板で形成した板体をロック装置によって閉塞するといった態様が考えられる。
【００１８】
冷却ボックス２０は冷却ボックス収納室５０内に収納して使用されるものである。この際熱伝導板３０が水槽部１０の底面に接する位置に載置する必要がある。水槽部１０の底面１ｃが合成繊維製である場合は、図４に示されるように水や海水の重みで下方に湾曲することから容易に熱伝導板３０と底面１ｃを接しめること可能である。一方底面１ｃが合成樹脂や金属製の場合は下方に湾曲しないことから、熱伝導板３０が底面１ｃに接するよう冷却ボックス収納室５０の底面から熱伝導板３０の上面の高さが、冷却ボックス収納室５０の底面から底面１ｃの高さにほぼ合致するよう正確に調整する必要がある。
【００１９】
第一実施形態に係る携帯型生け簀１には、持ち運びに便利なように側面に手持ちバンド１ｄが取り付けられている。
【００２０】
四、  図２は第二実施形態に係る携帯型生け簀２を示すものである。
【００２１】
携帯型生け簀２は蓋付きの箱体であり、水槽部１０と冷却ボックス収納室５０の二層構造となっている。水槽部１０は蓋２ａを閉じることにより水密的に閉塞されるものである。
【００２２】
携帯型生け簀２の本体２ｂは合成樹脂で形成されるものである。本体２ｂは水槽部１０の底面側を除き断熱性を高めるために内部に発泡樹脂を充填しても構わない。又持ち運びに便利なように側面にはバンド２ｃが取り付けられている。
【００２３】
冷却ボックス収納室５０は水槽部１０の下方に引き出し形状に設けられている。
【００２４】
冷却ボックス２０は冷却ボックス収納室５０内に収納して使用されるものである。この際熱伝導板３０が水槽部１０の底面に接する位置に載置する必要がある。水槽部１０の底面が合成樹脂製であり合成繊維のように下方に湾曲しないことから、熱伝導板３０が水槽部１０の底面に接するよう冷却ボックス収納室５０の底面から熱伝導板３０の上面の高さが、冷却ボックス収納室５０の底面から水槽部１０の底面の高さにほぼ合致するよう正確に調整する必要がある。
【００２５】
五、  図３は第三実施形態に係る携帯型生け簀３を示すものである。
【００２６】
携帯型生け簀３は蓋付きの箱体であり、水槽部１０と冷却ボックス収納室５０の二層構造となっている。水槽部１０は蓋３ａを閉じることにより水密的に閉塞されるものである。
【００２７】
携帯型生け簀３の本体３ｂは合成樹脂で形成されるものである。本体３ｂは断熱性を高めるために水槽部１０の側面を除き内部に発泡樹脂を充填しても構わない。又持ち運びに便利なように側面にはバンド３ｃが取り付けられている。
【００２８】
冷却ボックス収納室５０は水槽部１０の側方に設けられており、開閉自在な蓋部３ｄを有するものである。
【００２９】
冷却ボックス２０は冷却ボックス収納室５０内に収納して使用されるものである。この際熱伝導板３０が水槽部１０の側面に接する位置に載置する必要がある。
【００３０】
六、  以上の第一、第二、第三実施形態ともに図示されていないが、空気ポンプを装備させ水槽部内の海水や水にエアレーションすることが好ましい。
【産業上の利用可能性】
【００３１】
小口の鮨屋・料理店で生け簀や水槽を備えることは、スペースや費用の点で困難であった。又、活魚を運送するには専用の設備を備えた活魚車が必要であった。而して本発明を使用すれば小口の鮨屋・料理店であっても活魚の運搬、保管が可能となり、上述の生け簀、水槽及び活け魚車の代替足りうるものとなるのである。
【図面の簡単な説明】
【００３２】
【図１】本考案の第一実施形態を示す斜視図。
【図２】第二実施形態を示す斜視図。
【図３】第三実施形態を示す斜視図。
【図４】本考案の構造を模式的に示す説明断面図。
【図５】熱伝導板を冷却ボックスに装備した状態を示す斜視図。
【図６】同Ａ−Ａ断面図。
【図７】熱伝導板の斜視図。
【符号の説明】
【００３３】
１０・・水槽部      ２０・・冷却ボックス
３０・・熱伝導板      ４０・・冷却材
５０・・冷却ボックス収納室
【図１】
0003113172.tif 000003
【図２】
0003113172.tif 000004
【図３】
0003113172.tif 000005
【図４】
0003113172.tif 000006
【図５】
0003113172.tif 000007
【図６】
0003113172.tif 000008
【図７】
0003113172.tif 000009